(57)【要約】【目的】植物をペットのようにして手軽に持ち運ぶことはできれば生活をより豊かにできるから、ペット化できる植物を入手することを目的とする。このためには持ち運び及び取り扱いが容易であり、生育管理も簡単にする。【構成】苔５１を適当の量になるよう一まとめにした苔群５２を、ペースト状のバインダー５３の上へ押し付けて固化することにより、各苔の下部をバインダーにて接着一体化した苔ブロック５０を作る。苔ブロックは５０はバインダー５３によって苔が脱落しなくなり、かつ苔は一般の植物のような根を有しないので、苔の下部をバインダーで固めても生育に支障がない。したがって、苔ブロック５０を単独で、もしくは他の支持部材やケースと一緒にして略Ｕ字状、である。バインダー５３は苔群５２の周囲へ広がるはみ出し部５４を一体持ち運び可能になる。」に備えている。【選択図】図１
2004261131.tif 000002
【特許請求の範囲】
【請求項１】
一群の苔の下部を固化したバインダー上へ固定して一体化した苔ブロック形成し、形態可能にしたことを特徴とするポータブル苔体。
【請求項２】
ペースト状のバインダー上へ一群の苔の下部を押しつけてバインダーを固化させて請求項１の苔ブロックとしたことを特徴とするポータブル苔体。
【請求項３】
前記苔ブロックは周囲にバインダーのはみ出し部を備え、着色した支持部材上に固定されることを特徴とするポータブル苔体。
【発明の詳細な説明】
【０００１】
【発明の属する技術分野】
この発明は、苔を携帯可能にして随時持ち運べるようにしたものに関する。
【０００２】
【従来の技術】
近年、植物でコンクリート面等を覆うことにより緑化させることが行われている。また植物を土地から分離して生育状態で持ち運び可能にする場合、根付きの植物を鉢に植えて飾る等する事により楽しむことが行われている。さらにグランドカバー用等に苔を群生させた苔シートを形成して市販されている。また、この苔シートを、所定量の日光と水分が与えられると活性化し、不足すると休眠状態（仮死状態を含む）になる特殊な苔で形成することも知られている。
【０００３】
【特許文献１】特開平８−１３４９４１号公報
【特許文献２】特開平４−７０１２６号公報
【特許文献３】特開２００２−１８６３５０号公報
【特許文献４】特開２０００−４３９６７号公報
【０００４】
【発明が解決しようとする課題】
ところで、植物をペットのようにして手軽に持ち運ぶことはできれば生活をより豊かにできることに気づき、ペット化できる植物を入手したいという着想を得た。しかし、根付きの植物は、生育を維持するため、根を土もしくはその代用品で覆う必要があり、このためには比較的大型になって取り扱い難いものとなるから、未だペット化できるものは見つかっていない。また、苔は仮根のみを有し、一般の植物のように栄養吸収根を有しない（以下、これを根が無いと表現する）ので、定着性が悪いためやはり持ち運びにくいものであった。しかし苔は根がないことで生育が容易である。そこで本願発明は、係る苔の特性を利用してペット化植物となるように持ち運び容易にすることを目的とする。
【０００５】
【課題を解決するための手段】
苔の下部をバインダーにて固定することにより一群の苔をバインダーで一体化した苔ブロックを形成する。また、この苔ブロックは一群の苔の下部をペースト状のバインダー上へ押し付けて固化させれば一体化する。さらにこの苔ブロックのバインダー周囲にはみ出し部を設けた状態で支持部材上へ固定させることもできる。
【０００６】
【発明の効果】
一群の苔の下部をバインダーにて固定して一体化すると、根のない苔でもバインダーから脱落しにくくなって全体が一塊りに一体化した苔ブロックとなる。この苔ブロックは一体化して持ち運べるポータブル性があるため、取り扱い性が向上するとともに、植物をペット化して持ち運べるようになる。しかも、根のない苔をバインダーで固めたものであるから、このように固化しても苔の生育を維持でき、生育管理が容易であり、植物のペット化に好適なものとなる。
【０００７】
そのうえ、この苔ブロックはペースト状のバインダーへ一群の苔の下部を押し付けてバインダーを固化させれば簡単に一体化させることができる。また固化したバインダーは苔の強固な支持部となる。さらにバインダーの周囲にはみ出し部を形成した状態で支持部材上に固定すれば、はみ出し部を意匠効果のある部分として活用したデイスプレイを実現できる。しかもこのはみ出し部は前記ペースト状バインダーへ苔を押し付けることにより容易に形成できる。
【０００８】
【発明の実施の形態】
図１〜４は実施例にかかる苔ブロック５０の製法を示す。図２は図１の２−２線断面図、図３は苔ブロック５０の製法を示す図、図４はこの苔ブロック５０を用いたポータブル苔グッズを示す斜視図である。
【０００９】
図１及び図２において、この苔ブロック５０は、苔５１を適当の量になるよう一まとめにした苔群５２を、バインダー５３にて接着一体化したものである。バインダー５３は苔群５２の周囲へ広がるはみ出し部５４を一体に備えている。
【００１０】
苔５１は図２中の拡大部に示すように、一般の植物の葉に相当する上部５５と、茎に相当する下部５６（仮根を含む）からなり、一般の植物における栄養吸収根に相当する部分は存在しない。（植物体を支持するための仮根はあるが、これは一般の植物の栄養吸収根には相当しない。本願ではこのような栄養吸収根のない状態を「根がない」と表現することは前記の通りである。）
【００１１】
この苔５１は所定量の日光と水分が与えられると活性化し、不足すると仮死状態になって休眠する特殊な苔であり、例えば、すな苔とはい苔を混合したものが知られている。このような苔シートの市販品としては有限会社モスキャッチシステムサービス製の商品名モスキャッチがある。ただしより一般的な苔を用いることは任意に可能である。
【００１２】
図２に明らかなように、苔群５２の各下部５６は、バインダー５３によって接着され、全体が一体となった苔ブロック５０になっている。したがって、各苔５１はバインダー５３へ強固に固定され、ほぼ脱落のおそれがなく、ポータブル性を備えたものである。
【００１３】
バインダー５３は苔５１に害を与えず、かつ容易に固化する接着剤等であれば任意のものを使用できる。本願におけるバインダー５３は、木工ボンドと水と砂を適宜の割合で配合し、当初の状態では流動性のあるペースト状にしたものである。
【００１４】
木工ボンドは殆ど苔５１に無害の接着剤であり、常温で固化する性質を有する。これらは、苔ブロック５０の作り方に応じて所望の流動性となるよう、任意の割合で配合され、混練りされる。
【００１５】
水は固化したとき木工ボンドが透明化せずに白濁状をなすようにするとともに、当初の流動性を出すために用いられる。砂は、後述するディスプレイとしての質感を出すために用いられる。砂及び水は必須のものではない。これらに代えてまたはこれらと一緒に他の適当な物質を混合することができる。
【００１６】
次に、図３によりこの苔ブロック５０の製法を説明する。まず、Ａに示すように、混練りされたペースト状のバインダー５３を適当なプラスチック板等の台板５７上へ盛り、この上から、所定量にまとめた一群の苔群５２をバインダー５３へ押しつける。
【００１７】
すると、Ｂに示すように、苔群５２の下部はバインダー５３中へ押し込まれるとともに、バインダー５３は苔群５２により押しつけられて、その周囲部分は外方へ押し出されてはみ出し部５４を一体に形成する。この状態で所定時間常温または苔に害にならない程度の適当温度に加温して放置すると、バインダー５３が固化し、同時にバインダー５３中に苔群５２の下部を固定し、全体が一体化した苔ブロック５０となる。
【００１８】
この状態では、各苔５１はほとんどバインダー５３から分離不可能である。また、苔５１は上部５５から日光と水分を吸収するので、下部５６がバインダー５３中へ固化されて一体化されても、生育上何の問題もない。固化したバインダー５３は苔の強固な支持部となり、ポータブル性を高める。また、バインダー５３は水分が混入されているため、固化後も白濁状態を保つ。したがって、はみ出し部５４を含む苔ブロック５０の周囲はは白くかつ混練りした砂により、砂浜のような外観を与える。
【００１９】
このように、苔群５２の下部をバインダー５３にて固定して一体化すると、根のない苔５１でもバインダー５３から脱落しにくくなって全体が一塊りに一体化した苔ブロック５０となる。この苔ブロック５０は一体化して持ち運べるポータブル性があるため、取り扱い性が向上するとともに、植物をペット化して持ち運べるようになる。しかも、根のない苔５１をバインダー５３で固めたものであるから、このように固化しても苔の生育を維持でき、生育管理が容易であり、植物のペット化に好適なものとなる。
【００２０】
図４は、この苔ブロック５０を支持部材であるディスク５８へ取付けた状態を示す斜視図であり、ディスク５８は任意であるが、本実施例ではＣＤ板であり、かつ少なくとも苔ブロック５０が取付けられる側（以下、これを表面という）が青色に着色されている。
【００２１】
図４のＡに示すように、苔ブロック５０のディスク５８に対する取付けは、適当な接着剤５９をバインダー５３又はディスク５８の表面、もしくは双方へ点付等で塗布しておき、この状態で苔ブロック５０をディスク５８の表面へ押しつければ、容易に接着一体化する。なお、この場合の接着剤はバインダー５３によって苔５１と隔てられているから、殆ど苔に対する有害無害を考慮する必要がなく、要はバインダー５３とディスク５８との接着性を考慮するだけで選択できる。
【００２２】
図４のＢに示すように、このようにしてディスク５８へ苔ブロック５０を一体化した苔ディスク６０は、苔ブロックを支持部材で保形等した苔保持体の一種となる。また単独で持ち運び可能になるので、植物ペット化したポータブル苔グッズともなり、これを持ち歩いて随時日光に当てかつ表面へ噴霧等で給水することにより、苔５１を活性化させて、その生育状況を観察して楽しむことができる。遮光すれば仮眠（死）状態にすることができる。
【００２３】
また、苔ディスク６０を単独もしくは、後述するケース等へ入れて置物として楽しむこともできる。このとき、本実施例でははみ出し部５４が白色でかつ砂混じりであるから砂浜のような外観を与え、かつディスク５８が青色であるから海のように見え、苔群５２は緑の島のように見えるから、苔ディスク６０全体が南の島を思わせるような趣味性の豊かなディスプレイとなる。
【００２４】
したがって、上記南の島以外にも、はみ出し部５４を意匠効果のある部分として活用したデイスプレイを実現できる。しかも、この場合の重要なアクセントとなる白色のはみ出し部５４は苔ブロック５０の製造過程でバインダー５３のはみ出しにより企まずに形成できるから、容易に形成できることになる。
【００２５】
図５〜９はこの苔ディスク６０を置物としたりケースへ収納するためのスタンド部材を示す。図５は苔ディスク６０をＣＤケース等の透明プラスチックからなるケース６１内へ収納する例である。ケース６１の４隅には予めスタンド部材６２が挿入されている。
【００２６】
そこで、スタンド部材６２の間へ苔ディスク６０を押し込むと、各スタンド部材６２には、ディスク５８の外周部が当接する底辺６３に斜めスリット６４が形成されているため、その弾性変形による弾力でディスク５８の外周部をほぼガタ無しに固定できる。
【００２７】
図６に示すように、スタンド部材６２は紙やプラスチック等ある程度の弾力性がある素材を用いて略直角三角形に形成されたものであり、底辺６３に対する頂点６５には底辺６３方向へ向かって垂直の縦スリット６６が食い込んで形成されている。この縦スリット６６の食い込み量は底辺６３と頂点６５の距離の約半分である。
【００２８】
図７は苔ディスク６０を平置きの置物とする際の支持構造を示し、この例では水平に置かれた苔ディスク６０におけるディスク５８外周部を、略１／４周ずつのポイントにて斜めスリット６３へ嵌合し、各スタンド部材６２の斜辺６７を接地させれば、苔ディスク６０は安定した平置き状態で各スタンド部材６２により支持される。
【００２９】
図８は苔ディスク６０を立てる場合であり、このときもスタンド部材６２で支持できる。但しこの場合は、図９に示すように、スタンド部材６２を十字型に組み合わせて二つ一組の組合せ体６８で用い、苔ディスク６０の下部を２ヶ所で支持する。この２つのスタンド部材６２により組合せ体６８は、一対のスタンド部材６２の各縦スリット６６をはめ合わせて、頂点６５側から見て略十文字状にしたものであり、この時、一方のスタンド部材６２の上を向いた斜めスリット６４に苔ディスク６０のディスク５８下部を嵌合することになる。これによって苔ディスク６０を立てても安定支持できる。
【００３０】
なお、本実施例のスタンド部材６２は必ずしも苔ディスク６０の固定もしくは支持のみに提供されるものではなく、他の適宜物品の支持等に幅広く利用できる。
【図面の簡単な説明】
【図１】苔ブロックを示す斜視図
【図２】図１の２−２線断面図
【図３】苔ブロックの製法を示す図
【図４】苔ブロックの利用例を示す斜視図
【図５】苔ディスクをケースへ収納する状態を示す斜視図
【図６】スタンド部材を示す図
【図７】苔ディスクを平置きした支持状態を示す斜視図
【図８】苔ディスクを縦置きした支持状態を示す斜視図
【図９】スタンド部材の組合せ体を示す斜視図
【符号の説明】５０：苔ブロック、５１：苔、５２：苔群、５３：バインダー、５４：はみ出し部、５８：ディスク、６０：苔ディスク。６２：スタンド部材、６４：斜めスリット、６６：縦スリット
【図１】
2004261131.tif 000003
【図２】
2004261131.tif 000004
【図３】
2004261131.tif 000005
【図４】
2004261131.tif 000006
【図５】
2004261131.tif 000007
【図６】
2004261131.tif 000008
【図７】
2004261131.tif 000009
【図８】
2004261131.tif 000010
【図９】
2004261131.tif 000011